(57)【要約】【課題】  ドア（９）または家具の可動部の制動減衰装置用アダプタであって、アダプタ本体（１０）を備え、制動力に抗してハウジング内に押込むことができるプランジャを備えた制動減衰装置のアダプタにおいて、家具の骨組に容易に取付けることができるようにする。【解決手段】  アダプタ本体（１０）に、制動減衰装置（１）のハウジングを収容する少なくとも１つの収容孔（２６，５０）を設ける。アダプタ本体（１０）を取付プレート（１４）に固定するとともに、この取付プレート（１４）を介してフレームまたは家具骨組（５）に固定する適切な手段を設ける。【選択図】  図１
2004316418.tif 000002
【特許請求の範囲】
【請求項１】
アダプタ本体（１０）を備え、制動力に抗してハウジング内に押込むことができるプランジャを備えたドア（９）または家具の可動部の制動減衰装置のアダプタであって、
前記アダプタ本体（１０）には、制動減衰装置のハウジングを収容する少なくとも１つの収容孔が形成されており、
前記アダプタ本体（１０）は、該アダプタ本体（１０）を取付プレートに固定するとともに、この取付プレートを介してフレームまたは家具骨組（５）に固定する手段を備えていることを特徴とする制動減衰装置用アダプタ。
【請求項２】
前記アダプタ本体（１０）は、ヒンジ（７）が配置されている家具骨組（５）の側壁に取付けられることを特徴とする請求項１記載のアダプタ。
【請求項３】
制動液の粘性は１５，０００ｃＳｔ以上であることを特徴とする請求項２記載のアダプタ。
【請求項４】
前記取付プレートは、前記アダプタ本体（１０）の対応する孔（２６）に収容される突出部（２２）と、側方ストッパ（４８）と、前記アダプタ本体（１０）の突出部（２８）と係合するエンドフック（２４）とを有する留金具取付プレート（１４）であることを特徴とする請求項１ないし３のうちいずれか１項に記載のアダプタ。
【請求項５】
前記アダプタ本体（１０）は、前記留金具取付プレート（１４）の対応する突出部（２２）と係合する孔（２６）と、前記エンドフック（２４）と係合する突出部（２８）とを備えていることを特徴とする請求項４記載のアダプタ。
【請求項６】
前記留金具取付プレート（１４）は、ベースプレート（３２）と、該ベースプレート（３２）上で長手方向に変位可能な中間プレート（３４）とからなることを特徴とする請求項１ないし５のうちいずれか１項に記載のアダプタ。
【発明の詳細な説明】
【技術分野】
【０００１】
本発明は、ドアまたは家具の可動部の制動減衰装置用アダプタであって、アダプタ本体を備え、制動力に抗してハウジング内に押込むことができるプランジャを備えた制動減衰装置のアダプタに関する。
【背景技術】
【０００２】
従来より、制動力または減衰力に抗してハウジングまたはシリンダーに押込むことができるプランジャを備えた制動減衰装置が知られている（例えば、特許文献１参照）。この種の装置のハウジングまたはシリンダーは、フレームまたは家具の骨組の表面に取付け金具を用いて取付けられている。しかしながら、これら取付け金具を使用する場合、これら取付け金具を特別に設けること、すなわち、制動減衰装置の組付けの際に特別に配慮することが必要である。また、従来より、ヒンジの少なくとも１つをドアを閉じるための装置のない単なる減衰用ヒンジ（ダンパ）として構成することが知られている（例えば、特許文献２参照）。このダンパは、ヒンジアーム内またはヒンジアームに沿って、且つ／または、ヒンジ用窪み内またはヒンジ用窪みに沿って設けられている。このヒンジアームは、ベースプレートによって、好ましくは中間プレートによって家具の側壁に固定でき、家具の奥行き方向に変位可能に保持されるよう配置される。しかしながら、このような組込型ダンパを設けるには高い費用がかかる。
【特許文献１】欧州特許出願公開第１００６２５１Ａ１号明細書
【特許文献２】独国特許出願公開第１０１５９１４０Ａ１号明細書
【発明の開示】
【発明が解決しようとする課題】
【０００３】
したがって、本発明の目的は、家具の骨組に容易に取付けることができる、制動減衰装置全般用のアダプタを提供することである。
【課題を解決するための手段】
【０００４】
上記の目的を満たすため、本発明によれば、アダプタ本体には、制動減衰装置のハウジングを収容する少なくとも１つの収容孔が形成されており、前記アダプタ本体は、アダプタ本体を取付プレートに固定するとともに、この取付プレートを介してフレームまたは家具の骨組に固定する手段を備えている。本発明は、制動減衰装置を収容するアダプタを、既知の家具留金具取付用プレートに取付けたり固定したりするというアイデアに基づいている。したがって、本発明に係るアダプタには、孔、または、適切であれば、例えばリニアダンパまたは突出したプランジャを有する回転ダンパのような既知の制動減衰装置を受け入れる適切な取付座が設けられる。さらに、好ましくはヒンジアーム取付用プレートに、既知の取付プレート上でアダプタを固定したりアダプタを係合させる適切な手段が設けられる。これらの手段は、標準化された取付形式を考慮して、既知の方法でアダプタを家具骨組またはフレームに取付けできるよう構成されている。
【０００５】
本発明のさらに好ましい実施形態は、請求項１に続く従属請求項に開示されている。
【０００６】
すなわち、アダプタを用いて制動減衰装置を家具の側壁に取付けできるとともに、ヒンジもその家具の側壁に取付けできることが好ましい。この構成に用いられる制動減衰装置は、ドアの関節軸からの距離が短いため、少なくとも１５，０００ｃＳｔ、好ましくは少なくとも２０，０００ｃＳｔの粘性を持つ制動液が充填される。
【０００７】
特に有利な実施形態によれば、前記取付プレートは、アダプタ本体の対応する孔に収容される突出部と、側方ストッパと、アダプタ本体の突出部と係合するエンドフックとを有する留金具取付プレートである。
【０００８】
好ましくは、アダプタ本体は、留金具取付プレートの対応する突出部と係合する孔と、フックと係合する突出部とを備えている。
【０００９】
最後に、留金具取付プレートは、ベースプレートと、ベースプレート上で長手方向に変位可能な中間プレートとからなっていてもよい。このように家具の奥行き方向に前記取付プレートを調整できるため、プランジャの行程を容易に変更することができ、ひいてはヒンジを調節する際、並びにドアの厚さに応じて制動効果を容易に変更することができる。
【発明を実施するための最良の形態】
【００１０】
以下、本発明のさらなる特徴、詳細および利点を、図示の実施形態に基づいて説明する。
【００１１】
図１は、家具骨組５の側壁と、既知の方法でヒンジ７によって固定されているドア９とをドア９が開いた状態で示す平面図である。
【００１２】
家具の側壁には、上記ヒンジ７と共に、本発明に係る制動減衰装置１（アダプタ）も取付けられており、この制動減衰装置１に沿ってヒンジ７が配置されている。制動減衰装置１に用いられるダンパ１２は、ドア９の関節軸からの距離が短いため、少なくとも１５，０００ｃＳｔの粘性を持つ制動液を充填させることができる。好ましくは、ダンパ１２は少なくとも２０，０００ｃＳｔの粘性を持つ制動液を充填させることができる。
【００１３】
図２は、制動減衰装置１の側面図である。ドア９が開いた状態は実線で示し、閉じた状態を一点鎖線で示す。
【００１４】
図３は、組込型ダンパ１２を有するアダプタ本体１０の長手方向の断面図である。図５の長手方向の断面図は、アダプタ本体１０にある屈曲して形成された後方ウェブ１８並びに前タブ１６を示している。ダンパ１２はウェブ１８に当接している（図３参照）。図４に示すように、前タブ１６はダンパ１２の形状に沿って面取りされており、ダンパ１２に設けられたフランジ２０のストッパになっている。
【００１５】
アダプタ本体１０は、これを既知の留金具取付プレート１４に取付ける手段を備えている。図示の実施形態では、図６に係る留金具取付プレート１４が用いられており、この留金具取付プレート１４は、アダプタ本体１０の側壁にある孔２６、孔５０および突出部２８からなる取付手段にそれぞれ係止される、突出部としての前部係止ガジオンピン２２、側方ストッパ４８およびエンドフックとしての後方フック２４を備えている。また、ヒンジアーム３０についても、同じ取付手段を用いて、ベースプレート３２と、ベースプレート３２上で長手方向に変位可能に案内される中間プレート３４とに固定される。中間プレート３４は、後方フック２４と、前部係止ガジオンピン２２とを有しており、ベースプレート３２上での変位は偏心体３６によって行われる。
【００１６】
さらに、中間プレート３４とベースプレート３２とを案内するために、ベースプレート３２は、中間プレート３４の屈曲した側壁４２を取り囲む隆起部３８と、側壁４４同士の間を埋める延出部４０とを備えており、側壁４４間は図２に示す下方ウェブ４６を介して繋がっている。
【００１７】
しかしながら、基本的には、本発明の範囲内で、異なった構成の留金具取付プレートを用いることもできる。例えば、独国特許出願公開第４０１６６６４Ａ号明細書から知られている留金具取付プレートを用いることができる。家具の奥行き方向に前記取付プレートを調整できるため、プランジャの行程を変更することができ、ひいてはヒンジを調節する際、並びにドアの厚さに応じて制動効果を変更することができる。
【００１８】
制動減衰装置を有する本発明に係るアダプタがドア９またはフラップの内側にも配置できることを図７および図８に示す。
【図面の簡単な説明】
【００１９】
【図１】本発明の第１の実施形態に係るアダプタの設置状態を示す平面図である。
【図２】図１に係る制動減衰装置の側面図である。
【図３】組込型制動減衰装置を備えた本発明の実施形態に係るアダプタを詳細に示す側面図である。
【図４】図３に示す実施形態に係るアダプタのハウジングを示す正面図である。
【図５】図３に示す実施形態に係るアダプタのハウジングを示す部分断面図である。
【図６】アダプタ本体がない状態の図２に係る留金具取付プレートの平面図である。
【図７】アダプタの別の設置状態を示す図である。
【図８】ドアを閉じたときの様子を示す図７相当図である。
【符号の説明】
【００２０】
５      家具骨組
７      ヒンジ
９      ドア
１０    アダプタ本体
１４    留金具取付プレート
２２    前部係止ガジオンピン（突出部）
２４    後方フック（エンドフック）
２６    孔
２８    突出部
３２    ベースプレート
３４    中間プレート
４８    側方ストッパ
【図１】
2004316418.tif 000003
【図２】
2004316418.tif 000004
【図３】
2004316418.tif 000005
【図４】
2004316418.tif 000006
【図５】
2004316418.tif 000007
【図６】
2004316418.tif 000008
【図７】
2004316418.tif 000009
【図８】
2004316418.tif 000010